【手続補正書】
【提出日】平成25年3月18日(2013.3.18)
【手続補正１】
【補正対象書類名】明細書
【補正対象項目名】００７０
【補正方法】変更
【補正の内容】
【００７０】
本発明のいくつかの例示的な実施形態では、画像特徴を検出する間に、照明器５５を用いて１つ以上の画像特徴の一部分を照らす。その１つ以上の画像特徴の一部分の画像を画像読み取り装置で読み取る間に、照明器５５を用いてその一部分を照らすことができる。本発明のいくつかの例示的な実施形態では、形成された画像特徴と記録媒体１７の縁領域との間の差を強調するために記録媒体１７に向けて放射を発することができる放射源を、照明器５５は備える。反射された放射の量または方向の変化をセンサ５２で検出して、画像特徴の特定の部分を検出することができる。本発明のいくつかの例示的な実施形態では、照明器５５は、エミッタ／レシーバタイプのセンサのエミッタである。本発明のいくつかの例示的な実施形態では、照明器５５はＬＥＤ光源を備える。本発明のいくつかの例示的な実施形態では、照明器５５はストロボ光源を備える。いくつかの例示的な実施形態では、照明器５５はキャリッジ１８上に位置決めされている。いくつかの例示的な実施形態では、照明器５５は支持体２０上に位置決めされている。なお、以下に、付記として本発明の構成の一例を示す。
（付記１）
幾何学的な歪みを調整するために記録装置の較正を変化させる方法であって、
記録媒体を受けるための媒体支持体を設けるステップと、
経路に沿って移動するように構成されたキャリッジを設けるステップと、
前記キャリッジ上に記録ヘッドを設けるステップと、
前記媒体支持体上に第１の向きで前記記録媒体が置かれている間に、前記記録媒体上に画像特徴のパターンを形成するように前記記録ヘッドを操作するステップと、
前記第１の向きとは異なる第２の向きで前記媒体支持体上に前記記録媒体を位置決めするステップと、
前記媒体支持体上に前記第２の向きで前記記録媒体が置かれている間に、前記画像特徴のパターンの歪みを検出するステップと、
検出された前記歪みに応じて前記キャリッジの移動を調整するステップと、
を含むことを特徴とする方法。
（付記２）
付記１に記載の方法であって、前記キャリッジの前記移動を調整するステップが、前記キャリッジの速度を調整することを含むことを特徴とする方法。
（付記３）
付記１に記載の方法であって、経路に沿って前記記録ヘッドを移動させるように前記キャリッジを操作する間に前記記録媒体上に前記画像特徴のパターンを形成するステップを含むことを特徴とする方法。
（付記４）
付記１に記載の方法であって、前記第１の向きで前記記録媒体が置かれているときに、経路方向に実質的に平行な配置方向を含むような前記画像特徴のパターンを形成するように前記記録ヘッドを操作するステップを含むことを特徴とする方法。
（付記５）
付記４に記載の方法であって、前記媒体支持体上に前記第２の向きで前記記録媒体が置かれるときに前記配置方向が再設定され、前記媒体支持体上に前記第２の向きで前記記録媒体が置かれている間に前記配置方向に沿った前記画像特徴のパターンの前記歪みを検出することを、前記画像特徴のパターンの前記歪みを検出するステップが含むことを特徴とする方法。
（付記６）
付記４に記載の方法であって、前記媒体支持体上に前記第２の向きで前記記録媒体が置かれるときに前記配置方向が再設定され、前記媒体支持体上に前記第２の向きで前記記録媒体が置かれている間に前記配置方向に沿った少なくとも１つの前記画像特徴の予測される位置における変化を検出することを、前記画像特徴のパターンの前記歪みを検出するステップが含むことを特徴とする方法。
（付記７）
付記４に記載の方法であって、前記媒体支持体上に前記第２の向きで前記記録媒体が置かれるときに前記配置方向が再設定され、前記媒体支持体上に前記第２の向きで前記記録媒体が置かれている間に前記配置方向に沿った少なくとも１つの前記画像特徴の予測される大きさにおける変化を検出することを、前記画像特徴のパターンの前記歪みを検出するステップが含むことを特徴とする方法。
（付記８）
付記４に記載の方法であって、前記媒体支持体上に前記第２の向きで前記記録媒体が置かれるときに前記配置方向が再設定され、前記媒体支持体上に前記第２の向きで前記記録媒体が置かれている間に、前記画像特徴のパターンの第１の画像特徴と第２の画像特徴との間における前記配置方向に沿った予測される分離の変化を検出することを、前記画像特徴のパターンの前記歪みを検出するステップが含むことを特徴とする方法。
（付記９）
付記８に記載の方法であって、前記記録媒体を複数回走査するように前記記録ヘッドを操作する間に前記記録媒体上に前記特徴のパターンを形成するステップを含み、異なる走査の間に前記第１の画像特徴と前記第２の画像特徴とのそれぞれが形成されることを特徴とする方法。
（付記１０）
付記１に記載の方法であって、前記媒体支持体が位置合わせ機構を備え、前記媒体支持体上に前記第１の向きで前記記録媒体が置かれている間に前記位置合わせ機構の近くに前記記録媒体の第１の端部を位置決めするステップと、前記媒体支持体上に前記第２の向きで前記記録媒体が置かれている間に前記位置合わせ機構の近くに前記記録媒体の第２の端部を位置決めするステップとを前記方法が含み、前記第１の端部が前記第２の端部とは異なることを特徴とする方法。
（付記１１）
付記１０に記載の方法であって、前記第２の端部が前記第１の端部と交差するような位置関係にあることを特徴とする方法。
（付記１２）
付記１に記載の方法であって、前記記録媒体上に前記画像特徴のパターンを形成する間に、前記記録ヘッドと前記媒体支持体との間の、第１の方向に沿った相対移動を生じさせるステップと、前記画像特徴のパターンの前記歪みを検出する間に、前記記録ヘッドと前記媒体支持体との間の、第２の方向に沿った相対移動を生じさせるステップとを含み、前記第２の方向が前記第１の方向とは異なることを特徴とする方法。
（付記１３）
付記３に記載の方法であって、前記画像特徴の前記歪みを検出する間に、静止した場所に前記キャリッジを維持するステップを含むことを特徴とする方法。
（付記１４）
付記１３に記載の方法であって、前記画像特徴のパターンの前記歪みを検出するためのセンサを前記キャリッジ上に設けるステップを含むことを特徴とする方法。
（付記１５）
付記１に記載の方法であって、前記媒体支持体上での前記記録媒体の前記第２の向きが、前記媒体支持体上での前記記録媒体の前記第１の向きに対して前記記録媒体を回転したものに相当することを特徴とする方法。
（付記１６）
付記１に記載の方法であって、前記媒体支持体によって支持される前記記録媒体の表面に対して実質的に垂直な軸の周りに回転角度だけ前記記録媒体を回転させることによってもたらされる、前記媒体支持体上での前記記録媒体の前記第１の向きを変化させたものに、前記媒体支持体上での前記記録媒体の前記第２の向きが対応することを特徴とする方法。
（付記１７）
付記１６に記載の方法であって、前記回転角度が８５度〜９５度の範囲内であることを特徴とする方法。
（付記１８）
付記１に記載の方法であって、前記媒体支持体上に前記第１の向きで前記記録媒体を位置決めする前記ステップと、前記媒体支持体上に前記第２の向きで前記記録媒体を位置決めする前記ステップとの間に、前記媒体支持体から前記記録媒体を完全に引き離すステップを含むことを特徴とする方法。
（付記１９）
付記１に記載の方法であって、前記媒体支持体上に前記第１の向きで前記記録媒体を位置決めする前記ステップと、前記媒体支持体上に前記第２の向きで前記記録媒体を位置決めする前記ステップとの間に、前記記録媒体の画像化された部分と前記記録媒体の画像化されていない部分との間のコントラストを調整するステップを含むことを特徴とする方法。
（付記２０）
付記１に記載の方法であって、前記画像特徴のパターンの前記歪みを検出するためのセンサを設けるステップを含むことを特徴とする方法。
（付記２１）
付記３に記載の方法であって、前記キャリッジ上にセンサを設けるステップを含み、前記画像特徴のパターンの前記歪みを検出するように前記センサが構成されていることを特徴とする方法。
（付記２２）
付記２１に記載の方法であって、前記センサが画像読み取り装置を備えることを特徴とする方法。
（付記２３）
付記２１に記載の方法であって、前記キャリッジ上に照明器を設けるステップを含み、前記画像特徴のパターンの前記歪みが検出される間に前記画像特徴のパターンの一部分を照らすように前記照明器が構成されていることを特徴とする方法。
（付記２４）
付記１に記載の方法であって、検出された前記歪みに応じて前記キャリッジの前記移動を調整するステップにより、前記経路に沿った前記キャリッジの位置を調整することを特徴とする方法。
（付記２５）
記録媒体を受けるようになされた筒状の表面を含む媒体支持体と、
記録ヘッドと、
前記媒体支持体の回転軸に対する経路に沿って前記記録ヘッドを移動させるように構成されたキャリッジと、
センサと、
前記筒状の表面上に第１の向きで置かれている前記記録媒体上に画像特徴のパターンを形成する間に、前記経路に沿って前記記録ヘッドを移動させるように前記キャリッジを操作し、
前記第１の向きとは異なる第２の向きで前記筒状の表面上に前記記録媒体が置かれている間に、前記画像特徴のパターンの副走査歪みを検出するように前記センサを操作し、かつ、
検出された前記副走査歪みに応じて前記キャリッジの速度を調整するように構成された制御装置と、
を備えることを特徴とする記録装置。
（付記２６）
付記２５に記載の記録装置であって、前記経路に沿った前記キャリッジの後続する移動の間に前記キャリッジの前記速度を調整するように前記制御装置が構成されていることを特徴とする記録装置。
（付記２７）
付記２６に記載の記録装置であって、前記後続する移動の間に前記経路に沿った第１の点で前記キャリッジの前記速度を調整するように前記制御装置が構成され、前記第１の点における前記キャリッジの調整された前記速度が、前記経路に沿った別の点における前記キャリッジの速度とは異なることを特徴とする記録装置。
（付記２８）
付記２６に記載の記録装置であって、前記後続する移動の間に前記経路に沿った第１の点で前記キャリッジの前記速度を調整するように前記制御装置が構成され、前記筒状の表面上に前記第１の向きで置かれている前記記録媒体上に前記特徴のパターンが形成されたときの前記副走査歪みの場所に前記第１の点が対応することを特徴とする記録装置。
（付記２９）
付記２５に記載の記録装置であって、前記第１の向きで前記記録媒体が置かれているときの前記経路に沿った前記キャリッジの前記移動に関連する副走査方向に実質的に平行な向きと、前記第２の向きで前記記録媒体が置かれているときの異なる向きとを有する配置方向を前記画像特徴のパターンが含み、前記筒状の表面上に前記第２の向きで前記記録媒体が置かれている間の前記配置方向に沿った少なくとも１つの前記画像特徴の予測される位置における変化を検出することによって前記副走査歪みを検出するように前記センサが構成されていることを特徴とする記録装置。
（付記３０）
付記２５に記載の記録装置であって、前記第１の向きで前記記録媒体が置かれているときの前記経路に沿った前記キャリッジの前記移動に関連する副走査方向に実質的に平行な向きと、前記第２の向きで前記記録媒体が置かれているときの異なる向きとを有する配置方向を前記画像特徴のパターンが含み、前記筒状の表面上に前記第２の向きで前記記録媒体が置かれている間の前記配置方向に沿った少なくとも１つの前記画像特徴の予測される大きさにおける変化を検出することによって前記副走査歪みを検出するように前記センサが構成されていることを特徴とする記録装置。
（付記３１）
付記２５に記載の記録装置であって、前記第１の向きで前記記録媒体が置かれているときの前記経路に沿った前記キャリッジの前記移動に関連する副走査方向に実質的に平行な向きと、前記第２の向きで前記記録媒体が置かれているときの異なる向きとを有する配置方向を前記画像特徴のパターンが含み、前記筒状の表面上に前記第２の向きで前記記録媒体が置かれている間の、前記画像特徴のパターンの第１の画像特徴と第２の画像特徴との間での前記配置方向に沿った予測される分離における変化を検出することによって前記副走査歪みを検出するように前記センサが構成されていることを特徴とする記録装置。
（付記３２）
付記３１に記載の記録装置であって、前記記録媒体を複数回走査する間に前記記録媒体上に前記特徴のパターンを形成するように前記記録ヘッドを操作するように前記制御装置が構成され、異なる走査中に前記第１の画像特徴と前記第２の画像特徴とのそれぞれが形成されることを特徴とする記録装置。
（付記３３）
付記２５に記載の記録装置であって、前記センサを前記経路に沿って移動させるように前記キャリッジが構成されていることを特徴とする記録装置。
（付記３４）
付記２５に記載の記録装置であって、前記センサが画像読み取り装置を備えることを特徴とする記録装置。
（付記３５）
付記３４に記載の記録装置であって、前記副走査歪みが検出される間に前記記録媒体を照らすように構成された照明器を備えることを特徴とする記録装置。
【手続補正２】
【補正対象書類名】特許請求の範囲
【補正対象項目名】全文
【補正方法】変更
【補正の内容】
【特許請求の範囲】
【請求項１】
幾何学的な歪みを調整するために記録装置の較正を変化させる方法であって、
記録媒体を受けるための媒体支持体を設けるステップと、
経路に沿って移動するように構成されたキャリッジを設けるステップと、
前記キャリッジ上に記録ヘッドを設けるステップと、
前記媒体支持体上に第１の向きで前記記録媒体が置かれている間に、前記記録媒体上に画像特徴のパターンを形成するように前記記録ヘッドを操作するステップと、
前記第１の向きとは異なる第２の向きで前記媒体支持体上に前記記録媒体を位置決めするステップと、
前記媒体支持体上に前記第２の向きで前記記録媒体が置かれている間に、前記画像特徴のパターンの歪みを検出するステップと、
検出された前記歪みに応じて前記キャリッジの移動を調整するステップと、
を含むことを特徴とする方法。
【請求項２】
請求項１に記載の方法であって、前記キャリッジの前記移動を調整するステップが、前記キャリッジの速度を調整することを含むことを特徴とする方法。
【請求項３】
請求項１に記載の方法であって、経路に沿って前記記録ヘッドを移動させるように前記キャリッジを操作する間に前記記録媒体上に前記画像特徴のパターンを形成するステップを含むことを特徴とする方法。